(57)【特許請求の範囲】
【請求項１】
長尺状錠箱に内装された駆動モータと、この駆動モータの駆動力によって作動する動力伝達手段と、この動力伝達手段によって回転するダルマと、このダルマの回転を介して往復動するデットボルトと、錠前の状態信号を検出する検出装置を備えた電気錠に於いて、
前記錠箱に駆動モータの駆動力で回転する回転体を設け、また前記検出装置は、前記デットボルトの押圧部分に押されて所定量回転するように一つの固定軸を介して軸支されかつ前記デットボルトの直線移動した位置状態を検出するテコ式の第１スイッチ片と、前記回転体の当り部分に押されて所定量回転するように前記一つの固定軸を介して扉の厚さ方向に併設状態に軸支され、かつ該回転体の回転位置を検出する第２スイッチ片を含み、
前記第１スイッチ片の先端部は、前記デッドボルトが前記駆動モータの駆動力に基づいて移動した時に、前記錠箱内に配設された第１フォトセンサーの信号を検出する発光側の側壁部と受光側の側壁部に遮蔽状態に接近乃至離れて該遮蔽状態を解消し、一方、前記第２スイッチ片の先端部は、前記回転体が前記駆動モータの駆動力に基づいて回転した時に、前記錠箱内に配設された第２フォトセンサーの信号を検出する発光側の側壁部と受光側の側壁部に遮蔽状態に接近乃至離れて該遮蔽状態を解消する電気錠。
【請求項２】
請求項１に於いて、テコ式の第１スイッチ片は、その長片部分の先端が第1フォトセンサーの信号を検出する発光側の側壁部と受光側の側壁部に遮蔽状態に接近乃至離れて該遮蔽状態を解消し、一方、その短片部分の端部が前記押圧部分と係脱するように中間部寄りの部位が軸支されていることを特徴とする電気錠。
【請求項３】
長尺状錠箱に内装された駆動モータと、この駆動モータの駆動力によって作動する動力伝達手段と、この動力伝達手段によって回転するダルマと、このダルマの回転を介して往復動するデットボルトと、錠前の状態信号を検出する検出装置を備えた電気錠に於いて、
前記錠箱に駆動モータの駆動力で回転する回転体を設け、また、該回転体に噛合しかつ案内手段を介して直線運動する摺動体を設け、前記検出装置は、前記摺動体の押圧部分に押されて所定量回転するように前記錠箱に一つの固定軸を介して軸支され、かつ前記摺動体の直線移動した位置状態を検出する第１スイッチ片と、前記回転体の当り部分に押されて所定量回転するように前記一つの固定軸を介して扉の厚さ方向に併設状態に軸支され、かつ該回転体の回転位置を検出する第２スイッチ片とを含み、
前記第１スイッチ片の先端部は、前記摺動体が錠箱内に配設された駆動バネのバネ力によって回転するダルマを介して施錠位置へと移動した時に、前記錠箱内に配設された第１フォトセンサーの信号を検出する発光側の側壁部と受光側の側壁部に遮蔽状態に接近或いは離れて該遮蔽状態を解消し、一方、前記第２スイッチ片の先端部は、前記回転体が前記駆動モータの駆動力に基づいて回転した時に、前記錠箱内に配設された第２フォトセンサーの信号を検出する発光側の側壁部と受光側の側壁部に遮蔽状態に接近或いは離れて該遮蔽状態を解消する電気錠。
【請求項４】
請求項１又は請求項３に於いて、検出装置は、第１スイッチ片と第２スイッチ片の各先端が、対応する第１フォトセンサーと第２フォトセンサーからそれぞれ離れる方向へ付勢する第１付勢バネと第２付勢バネを含むことを特徴とする電気錠。
【請求項５】
請求項３に於いて、回転体は歯車体であり、検出装置の一部を構成する部材のみならず、駆動モータの駆動力を摺動体に伝達するための動力伝達手段の一部を構成していることを特徴とする電気錠。
【発明の詳細な説明】
【技術分野】
【０００１】
本発明は建具用の電気錠に関し、特に、駆動モータや駆動バネの駆動力によって制御される直線移動部材（例えばデットボルト、ラック板を含む摺動体等）及び回転体の終点或いは起点（例えば原点位置）を求めるための該回転体の回転位置等の錠前の状態信号を検出する検出装置を備えた電気錠に関する。
【背景技術】
【０００２】
特許文献１の図８には、「電気錠の駆動箱に回動可能に支承された駆動軸に、センサー用識別部を有する回転板を一体的に設け、一方、前記回転体の外面に対して配設され、かつ前記センサー用識別部の位置状態を検出するフォトセンサーを備えているセンサー支持体を駆動箱内に固定し、前記駆動箱内或いは駆動箱外の箇所に前記フォトセンサーから出力された検知信号を取得して前記駆動モータを駆動制御する制御部を設けた電気錠の駆動軸駆動機構の制御装置」が記載されている。
【０００３】
この特許文献１は、出願人が次の理由から貴庁に提案したものである。すなわち、電気錠の施・解錠状態（具体的には、デッドボルトの位置、サムターン摘みのポジション位置等）を検知する場合に於いて、接触型スイッチの可動接片を用いる方式は、安定した位置検出及び駆動箱内の省スペース化を両立するという発明の課題を十分に達成することができないことから、駆動モータ用の駆動停止信号を安定的に取得する、駆動箱内の省スペースを有効的に活用する、駆動箱内へセンサーを容易に組込みこむことができる等の諸問題を十分に解決することである。
【０００４】
ところで、建具用錠前の錠箱は、例えば扉の自由端部に取り付けられるので、普通一般に上下方向に長く、扉の厚み方向である前後方向の幅は非常に狭い。そして、この長尺状錠箱の内部空間には、例えば電気錠であれば、駆動源としての駆動モータ、電気錠用プリント基板、動力伝達手段、クラッチ機構、錠前の施・解錠に関する状態信号検出装置、ダルマ、デッドボルト等の施・解錠機構を構成する各部材や部品を組み込むので、内部空間を有効的に活用することが求められる。そこで、現在、この種の錠箱が、普通一般に前後方向の幅が狭く、内部空間に余裕がないことを前提として、前記状態信号検出装置の工夫が要望されている。
【先行技術文献】
【特許文献】
【０００５】
【特許文献１】特開２００９−２２１６９０号公報の図８
【発明の概要】
【発明が解決しようとする課題】
【０００６】
本願発明の所期の目的は、駆動源の駆動力によって直線移動する部材と回転する回転部材の両方の位置状態を取得することができる検出装置を、長尺状錠箱内に配設することである。付言すると、長尺状錠箱内に錠前の構成部材を多数組み込まなければならない電気錠に於いて、該長尺状錠箱内の空間を有効的に活用するために、錠前の状態信号を複数検出することができる検出装置を合理的に配設し、該検出装置は、駆動モータや駆動バネの駆動力によって制御される直線移動部材（例えばデットボルト、ラック板を含む摺動体等）及び回転体の終点或いは起点（例えば原点位置）の両方を検出することができることである。第２の目的は、少なくとも一つのスイッチ片については、その長片部分の先端部の位置変位の範囲を拡大して錠前の前記状態信号を確実に取得することである。第３の目的は、複数のフォトセンサーに対して、各スイッチ片が確実に接近乃至離れることである。
【課題を解決するための手段】
【０００７】
本発明の電気錠は、長尺状錠箱に内装された駆動モータと、この駆動モータの駆動力によって作動する動力伝達手段と、この動力伝達手段によって回転するダルマと、このダルマの回転を介して往復動するデットボルトと、錠前の状態信号を検出する検出装置を備えた電気錠に於いて、前記錠箱に駆動モータの駆動力で回転する回転体を設け、また前記検出装置は、前記デットボルトの押圧部分に押されて所定量回転するように一つの固定軸を介して軸支されかつ前記デットボルトの直線移動した位置状態を検出するテコ式の第１スイッチ片と、前記回転体の当り部分に押されて所定量回転するように前記一つの固定軸を介して扉の厚さ方向に併設状態に軸支され、かつ該回転体の回転位置を検出する第２スイッチ片を含み、前記第１スイッチ片の先端部は、前記デッドボルトが前記駆動モータの駆動力に基づいて移動した時に、前記錠箱内に配設された第１フォトセンサーの信号を検出する発光側の側壁部と受光側の側壁部に遮蔽状態に接近乃至離れて該遮蔽状態を解消し、一方、前記第２スイッチ片の先端部は、前記回転体が前記駆動モータの駆動力に基づいて回転した時に、前記錠箱内に配設された第２フォトセンサーの信号を検出する発光側の側壁部と受光側の側壁部に遮蔽状態に接近乃至離れて該遮蔽状態を解消することを特徴とする。
【０００８】
また本発明の電気錠は、長尺状錠箱に内装された駆動モータと、この駆動モータの駆動力によって作動する動力伝達手段と、この動力伝達手段によって回転するダルマと、このダルマの回転を介して往復動するデットボルトと、錠前の状態信号を検出する検出装置を備えた電気錠に於いて、前記錠箱に駆動モータの駆動力で回転する回転体を設け、また、該回転体に噛合しかつ案内手段を介して直線運動する摺動体を設け、前記検出装置は、前記摺動体の押圧部分に押されて所定量回転するように前記錠箱に一つの固定軸を介して軸支され、かつ前記摺動体の直線移動した位置状態を検出する第１スイッチ片と、前記回転体の当り部分に押されて所定量回転するように前記一つの固定軸を介して扉の厚さ方向に併設状態に軸支され、かつ該回転体の回転位置を検出する第２スイッチ片とを含み、前記第１スイッチ片の先端部は、前記摺動体が錠箱内に配設された駆動バネのバネ力によって回転するダルマを介して施錠位置へと移動した時に、前記錠箱内に配設された第１フォトセンサーの信号を検出する発光側の側壁部と受光側の側壁部に遮蔽状態に接近或いは離れて該遮蔽状態を解消し、一方、前記第２スイッチ片の先端部は、前記回転体が前記駆動モータの駆動力に基づいて回転した時に、前記錠箱内に配設された第２フォトセンサーの信号を検出する発光側の側壁部と受光側の側壁部に遮蔽状態に接近或いは離れて該遮蔽状態を解消することを特徴とする。
【発明の効果】
【０００９】
（ａ）各独立項に記載の発明は、一つの固定軸（一芯軸）に第１スイッチ片と第２スイッチ片をそれぞれ軸支したので、長尺状錠箱のスペースを有効的活用することができると共に、該第１・第２の各スイッチ片と、第１・第２の各フォトセンサーと、直線移動する摺動体（例えばデットボルト）、駆動源の駆動力によって回転する回転板との組み合わせによって、例えば直線移動部材（例えばデットボルト、ラック板を含む摺動体）の移動した位置及び回転体の移転した位置の両方の状態信号を取得することができる。付言すると、例えばデットボルトが直線移動することにより錠前の施・解錠状態を取得し、それと同時（若干タイミングが遅れても良い）に、回転体の回転位置によりクラッチピンの原点位置を取得することができる。また、一つの固定軸を介して扉の厚さ方向に第１スイッチ片と第２スイッチ片を併設したので、長尺状錠箱のスペースを有効的に活用することができる。
（ｂ）請求項２に記載の発明は、スイッチ片の長片部分の先端の移動する範囲を拡大させて、錠前の施・解錠状態の信号を確実に取得することができる。
（ｃ）請求項４に記載の発明は、必ずしもスイッチ片の重心や形状に捉われず、該スイッチ片の形状を自由に設計してスイッチ片を確実に開閉させることができる。
（ｄ）請求項５に記載の発明は、部品点数を少なくすることができる。
【図面の簡単な説明】
【００１０】
図１乃至図８は、本発明の第１実施形態を示す各説明図。図９乃至図２０は第２実施形態の各説明図。
【図１】本発明の主要部を適用した電気錠の概念図。
【図２】施錠状態の概略説明図。
【図３】解錠状態の概略説明図。
【図４】第１・第２の各フォトセンサーに対する第１・第２の各スイッチ片が一芯軸に軸支されている概念図。
【図５】検出装置Ｙの主要部を構成する第１スイッチ片、第１フォトセンサー等を分解的に示した概略説明図。
【図６】検出装置Ｙの主要部を構成する第２スイッチ片、第２フォトセンサー等を分解的に示した概略説明図。
【図７】解錠状態から施錠状態になった場合の概略説明図。
【図８】施錠状態から解錠状態になった場合の概略説明図。
【図９】第２実施形態の図１と同様の概念図
【図１０】施錠状態の概略説明図。
【図１１】解錠状態の概略説明図。
【図１２】図４と同様の概念図。
【図１３】主要部の分解斜視図。
【図１４】解錠状態から施錠状態になった場合の概略説明図。
【図１５】施錠状態から解錠状態になった場合の概略説明図。
【図１６】要部（摺動体と回転体の係合関係）の説明図。
【図１７】要部（摺動体用ストッパー）を含む電気錠全体の説明図。
【図１８】図１７の要部の説明図。
【図１９】回転体とストッパー解除用従動小片との関係を示す概略説明図。
【図２０】駆動モータの駆動力で摺動体用ストッパーの係止を解除する時の説明図。
【発明を実施するための最良の形態】
【００１１】
（１）環境部材
図１は本発明の主要部を適用した電気錠の概略説明図（概念図）である。図２は図１に示した電気錠の一例を示す概略説明図である（なお、図２は本発明の主要部のみを示し、クラッチ機構等は省略している）。
【００１２】
まず、これらの図に於いて、Ｘは電気的にも機械的にもデッドボルト（以下、「デッド」という。）が出没可能な電気錠、１は戸枠、２は受け具、３は開閉体としての扉、４は長尺状の錠箱、６は制御部、７はコネクタを含む配線手段、８は電気錠制御用プリント基板、９はフロント板４ａに形成した開口、１０は電気的駆動源（例えば周知のもの）、１１は動力伝達手段（例えば周知のもの）、１２は動力伝達手段側からの動力を伝達又は後述するダルマ側からの動力を切断するクラッチ機構（例えば周知のもの）、そして、Ｙは電気錠Ｘの施・解錠及び回転体の回転位置を状態信号として検出する検出装置、１３はダルマ、１４はダルマの回動に基づいて前記錠箱４の開口９から進退動するデッドである。
【００１３】
次に、図１に於いて、制御部６は出力部１５を有し、該出力部１５には表示部１６が電気的に接続している。また、制御部６には解錠信号発生手段１７や図示しないモード切換手段等も電気的に接続している。制御部６は、例えば室内の適宜箇所に配設された住宅用電気錠操作盤の操作パネルに設けられ、該操作パネルは図示しない連続解錠用ボタン、自動施錠用ボタン、一回解錠用ボタン等の複数固の操作ボタンを有している。これらの信号処理の関しては本発明の特定要件ではないので、詳細な説明は割愛する。
【００１４】
さて、制御部６は錠箱４内のプリント基板８側から施錠状態、解錠状態、回転体の位置状態等の錠前の状態信号を取得し、一方、プリント基板８側に駆動モータ１０用の起動信号や停止信号を送信する。したがって、例えば起動信号に基づいて電気的駆動源１０が駆動すると、動力伝達手段１１は所定方向に回転し、その結果、後述の検出装置Ｙを構成する回転体の一例としての歯車体２０が所要量回転する。本発明は、前記検出装置Ｙに特徴がある。
【００１５】
（２）本発明の前提要件
本発明の電気錠Ｘは、建具としての扉に取り付けられる長尺状錠箱４に内装された駆動モータ１０と、この駆動モータの駆動力によって作動する動力伝達手段１１と、この動力伝達手段によって回転するダルマ１３と、このダルマの回転を介して往復動するデッド１４と、例えば錠前の施・解錠状態並びに回転体の回転した位置情報の両方の信号を検出する検出装置Ｙを備えている。そして、本発明の電気錠Ｘは、望ましくは、錠前を構成する多数の構成部材が長尺状の錠箱４の内部空間に組み込まれる電気錠に適用される。
【００１６】
（３）本発明の特徴事項
本発明の特徴事項は、比較的内部空間に余裕がない長尺状の錠箱４に組み込まれた検出装置Ｙである。この検出装置Ｙは、例えば施錠状態の図２、解錠状態の図３等で示すように、一つの固定軸（一芯軸）３６に併設された第１スイッチ片２３と第２スイッチ片２５、これら第１・第２の各スイッチ片２３、２５に対してそれぞれ個別的に係脱するデッド１４と回転体２０、単数又は複数のセンサー基板に配設された第１フォトセンサー２１と第２フォトセンサー２６とから成り、望ましくは、各スイッチ片２３、２５の各先端部は、対応する前記第１・第２の各フォトセンサー２１、２６から離れる方向へ付勢する第１付勢バネ２４、第２付勢バネ２７を含む。
【００１７】
（４）検出装置Ｙの具体的構成
図４は第１・第２の各フォトセンサー２１、２６に対する第１・第２の各スイッチ片２３、２５が一芯軸としての固定軸３６に軸支されている概念図、図５は検出装置Ｙの主要部を構成する第１スイッチ片２３、第１フォトセンサー２１等を分解的に示した概略説明図、図６は検出装置Ｙの主要部を構成する第２スイッチ片２５、第２フォトセンサー２６等を分解的に示した概略説明図、図７は解錠状態から施錠状態になった場合の概略説明図及び図８は施錠状態から解錠状態になった場合の概略説明図である。
【００１８】
以下、図２及び図３を含め、これらの図を参照にして検出装置Ｙの具体的構成を説明する。前述したように、電気錠Ｘの主要部を構成する各部材は、固定軸（一芯軸）３６、第１・第２の各スイッチ片２３、２５、デッド１４と回転体２０、第１・第２の各フォトセンサー２１、２６等である。
【００１９】
しかして、前記第１スイッチ片２３と第２スイッチ片２５は、錠箱４のフロント板４ａとダルマ１３の空間部分に横設軸架された一つの固定軸（一芯軸）３６に回転或いは揺動自在に軸支されている。これらの各スイッチ片は、本実施形態では、扉の厚さ方向に併設されている。
【００２０】
そして、前記第１スイッチ片２３の一端部（短片部分の後端部）は、水平方向へ直線運動をするデッド１４の突出状の押圧部分１８に係脱すると共に、その他端部（長片部分の先端部）は、第１フォトセンサー２１の信号を検出する発光側の側壁部２１ａと受光側の側壁部２１ｂに遮蔽状態に接近乃至離れて該遮蔽状態を解消するように中央部寄りの部位が軸支されている（部材間の関連構成については、例えば図５参照）。
【００２１】
一方、前記第２スイッチ片２５の一端部は、同様に前記固定軸３６に軸支されていると共に、先端部側の一部が駆動モータ１０の駆動力で動力伝達手段１１を介して回転する回転体２０の突出状の当接部分（当り部）３２に押されると共に、その先端部は第２フォトセンサー２６の信号を検出する発光側の側壁部２６ａと受光側の側壁部２６ｂに遮蔽状態に接近乃至離れて該遮蔽状態を解消する（部材間の関連構成については、例えば図６参照）。
【００２２】
その結果、検出装置Ｙは、長尺状錠箱４のスペースを有効的活用することができると共に、該第１・第２の各スイッチ片２３、２５と、第１・第２の各フォトセンサー２１、２６と、直線移動する摺動体（例えばデッド）、駆動源の駆動力によって回転する回転体２０との組み合わせることによって、例えば錠前の施・解錠状態と、制御部６の制御信号で制御される回転体の位置状態の両方の信号を取得することができる。
【００２３】
そこで、各部材の構成を詳細に説明する。例えば図４を参照にすると、まず３１は、回転体の一例としての歯車体２０用の中心軸で、この中心軸３１は錠箱４に横設軸架されている。３２は歯車体２０の周端部の一部に設けられた当り部で、本実施形態では、当り部３２は短柱状の突起で、その外周面は円形である。もちろん、当り部３２の形状は発明の目的を逸脱しない範囲内で、五角形、六角形等の多角形にし、又は半円弧状の突起に形成することも出来る。
【００２４】
回転体としての歯車体２０は、例えば駆動源が駆動モータである場合にはどの程度の時間を駆動させれば良いのか、駆動モータの駆動力で駆動するツク係合体をどの位置まで移動或いは回転させれば良いのか、クラッチ機構を構成するクラッチ板、クラッチ歯車等のクラッチ回転体の切り替えをどの位置で行えば良いのか、錠箱内を直線運動する摺動体に対して係合する回転体をどの位置で停止させれば良いのか、回転体を左右に回転させる場合はどの位置を起点とすれば良いか等、制御部６側から制御される被制御部材を何に求めるか、という視点から必要なもので、本実施形態では、特に図示しないが、例えば施錠状態から連続解錠モードに切り換える場合、その逆の場合、別の観点から完全施錠状態又は完全解錠状態を確認するために採用している。
【００２５】
なお、回転体の一例としての歯車体２０は、検出装置Ｙの一部を構成する部材のみならず、駆動モータ１０の駆動力を直接又は間接的に他の部材に伝達するための動力伝達手段１１の一部を構成するように構成しても良いが、本実施形態では、発明の技術的思想を明確にするために、検出装置Ｙの一部を構成する部材として概念的に図示している。
【００２６】
次に、第１・第２の各フォトセンサー２１、２６は、例えば図２で示すように、錠箱４内の上部に位置するプリント基板８と錠箱４内の下部に位置するデッド１４と間で、かつ錠箱４のフロント板４a寄りよりの部位に縦長状のセンサー基板３５を介して上下方向に併設されている。センサー基板３５は、本実施形態では、電気錠制御用プリント基板８の下端部側に別体として錠箱４の一側内壁面に固定されているが、もちろん、プリント基板８と一体的に設けても良い。これら第１フォトセンサー２１（第２フォトセンサー２６も同様）は、例えば図４で示すように、発光側（ＬＥＤ）の側壁部２１ａと、該発光側の側壁部に所定間隙ａを有して対向する受光側（フォトトランジスタ）の側壁部２１ｂとを有している。なお、説明の便宜上、第２フォトセンサー２６にも同様の符号（側壁部２６ａ、２６ｂ、間隙ａ）を付して重複する説明を省略する。
【００２７】
次に、第１スイッチ片２３は、その中間部寄りの部位が固定軸３６を介して揺動自在に軸支されている。しかして、第１スイッチ片２３は、「テコの原理」を応用したものであり、例えば図５の固定軸３６を基準にすると、上側の人差し指状に延びた長片部分２３ａの先端部は、第１フォトセンサー２１の発光側（ＬＥＤ）と受光側（フォトトランジスタ）に対して、互いを遮蔽するように接近乃至遮蔽状態を解消するように離れることが可能であり、一方、下側の子指状の短片部分２３ｂの下端部（後端部）は、前述したデッド１４の突出状押圧部分１８に係脱可能である。
【００２８】
ところで、第１スイッチ片２３は、本実施形態では、テコ式スイッチ片２３の膨出状中間部寄りの部位２３ｃには、前述した固定軸３６用の軸孔が形成されている。また、長片部分２３ａの先端部には、そのややは幅広の下端部がフォトセンサー２１の所定間隙ａに入り込み乃至出たりすることができる細長状の遮蔽突片３８が一体的に設けられている。そして、該細長状の遮蔽突片３８の上端部には、長片部分２３ａに直交して水平方向に延在する棒状のバネ端支持部３９が形成されている。
【００２９】
次に、第１スイッチ片２３用バネ部材、すなわち、テコ式スイッチ片２３を所定方向へ付勢する付勢バネ２４は、その中央部分２４ａが錠箱内の固定支軸４１に巻装され、一端部２４ｂは錠箱内の支持ピン４２に支持され、他端部２４ｃは前述の棒状バネ端支持部３９に圧接している。付言すると、本実施形態では、付勢バネ２４はテコ式スイッチ片２３の長片部分の先端部の遮蔽突片３８がフォトセンサー２１から離れる方向へと付勢している。なお、特に図示しないが、付勢バネ２４の付勢方向を逆方向にし、第１スイッチ片２３の短片部分２３ｂの下端部とデッド１４の突出状押圧部分１８との係合位置を設計変更しても良い。このような実施形態の場合には、デッド１４が完全施錠位置へと突出した場合には、第１スイッチ片２３の長片部分２３ａの先端部は第１フォトセンサー２１から離れる（図２とは逆の態様）。
【００３０】
次に、図６を参照にして、第２スイッチ片２５、第２フォトセンサー２６、第２付勢バネ２７を説明する。なお、説明の便宜上、第２の構成部材（スイッチ片２５、フォトセンサー２６、付勢バネ２７）の構成に関しては、第２スイッチ片２５がテコ式か否かを除き略同一なので、ここでは、第１の構成部材（フォトセンサー２１、スイッチ片２３、付勢バネ２４）と同様の符号を付して簡単に説明する。
【００３１】
しかして、第２スイッチ片２５は、図面上、下端部に相当する基端部２５ｂに軸孔を有し、該基端部２５ｂから先端部側の上端部２５ａまでストレートに延びている。上端部２５ａには第１スイッチ片２３と同様に細長状の遮蔽突片３８と棒状のバネ端支持部３９がそれぞれ設けられている。第２フォトセンサー２６は、第１フォトセンサー２１と同様に、側壁部２６ａ、側壁部２６ｂ、間隙ａがそれぞれ存在する。第２付勢バネ２７も第１付勢バネ２４と同様に、その中央部分２７ａが錠箱内の固定支軸４１Ａに巻装され、一端部２７ｂは錠箱内の支持ピン４２Ａに支持され、他端部２７ｃは前述の棒状バネ端支持部３９Ａに圧接している。そして、歯車体２０の周端部の小突起状当り部３２は前記第２スイッチ片２５の腕状に延びる右側面（背面）２５ｃに対して摺接状態に係脱可能である。
【００３２】
なお、特に図示しないが、この第２付勢バネ２７の付勢方向についても、第１付勢バネ２４と同様に逆方向にし、第２スイッチ片２５の腕状側壁（正面側）２５ｄに歯車体２０の周端部の小突起状当り部３２が摺接係合するように、互いの係合位置を設計変更しても良い。このような実施形態の場合には、歯車体２０が所定位置まで回転した場合には、第２スイッチ片２５の先端部３８Ａは第２フォトセンサー２６から離れる（図２とは逆の態様）。
【００３３】
（５）作用
図７は解錠状態から施錠状態になった場合の概略説明図で、一方、図８は施錠状態から解錠状態になった場合の概略説明図である。本実施形態では、図７で示すように、施錠時、駆動モータ１０の駆動力でもってダルマ１３が矢印Ａ方向（時計方向）へ回転すると、デッド１４が完全に突出し、その際、第１スイッチ片２３の短片部分２３ｂの下端部がデッド１４の突出状押圧部分１８に押圧されるので、該第１スイッチ片２３は固定軸３６を支点にして所要量回転し、第１スイッチ片２３の先端部３８は、第１付勢バネ２４のバネ力に抗して第１フォトセンサー２１に対にして遮蔽状態に接近する。したがって、解錠時の場合には、前記と逆の態様となり、ダルマ１３は矢印Ｂ方向（反時計方向）へ回転し、第１スイッチ片２３の先端部３８は、第１フォトセンサー２１から離れて遮蔽状態が解消する。
【００３４】
一方、施錠時、駆動モータ１０の駆動力でもって動力伝達手段１１を介して回転体２０が所要量回転すると、第２スイッチ片２５の右側面（背面）２５ｃが歯車体２０の小突起状当り部３２に押されるので、該第２スイッチ片２５の先端部３８Ａは、第２付勢バネ２７のバネ力に抗して第２フォトセンサー２６に対にして遮蔽状態に接近する。したがって、解錠時の場合には、前記と逆の態様となる。このようにして、第１・第２の各フォトセンサー２１、２６は、「ＯＮ」、「ＯＦＦ」の状態信号を検知することができる。
【実施形態】
【００３５】
この欄では、本発明の第２実施形態を説明する。図９乃至図２０は第２実施形態の各説明図である。この第２実施形態が第１実施形態と主に異なる点は、次の通りである。すなわち、（ａ）動力源として、駆動モータ１０の他に「駆動バネ７０」を加味した点、（ｂ）施錠時、デッド１４Ａは前記駆動バネ７０のバネ力によって回転するダルマを介して施錠位置へと移動する点、（ｃ）検出装置Ｙ１の第２スイッチ片２５Ａは、第１実施形態の第１スイッチ片２３と同様にテコ式スイッチ片である点、（ｄ）デッド１４Ａとは別個に直線運動する摺動体５１を設け、該摺動体５１はクラッチ機能を有する回転体２０Ａに噛合しかつ案内手段を介して施錠位置から解錠位置へ及び解錠位置から施錠位置へと往復動可能である点、（ｅ）該摺動体５１は錠箱４Ａ内の駆動バネ７０のバネ力によって回転するダルマ１３Ａを介して施錠位置へと移動した時に、検出装置Ｙ１の第１スイッチ片２３Ａを所要量回転させることができる点、付言すると、第１実施形態と同様の第１フォトセンサー２１はデッドの移動に起因して信号を検知するのではなく、デッド１４Ａとは別個の直線運動をする摺動体５１の位置変位に起因して信号を検知する点、（ｆ）摺動体５１は駆動モータ１０の駆動力によって解錠位置へと戻ることができる点、（ｇ）回転体２０Ａは動力伝機構１１Ａの一部を構成している点、（ｈ）回転体２０Ａの当り部分３２と係脱するロック解除用の従動小片９１を軸支した点、（ｉ）摺動体５１を解錠位置に保持することができる摺動体用のストッパー６１を設けた点、（ｊ）該摺動体用のストッパー６１は駆動モータ１０の駆動力で回転する回転体２０Ａの当り部分３２を介して回転し、摺動体５１に対するストッパーの状態を解消させる点、（ｋ）その他、回転体２０Ａの当り部分３２はクラッチ機構のクラッチピンを兼用している点、ダルマ１３Ａとデッド１４Ａが駆動リンクや作動リンクで連結されている点等である。
【００３６】
上記（ａ）乃至（ｋ）の新規事項に於いて、この第２実施形態は、「錠箱４Ａ内に駆動モータ１０の駆動力で回転する回転体２０Ａを設け、また、該回転体２０Ａに噛合しかつ案内手段を介して直線運動する摺動体５１を設け、検出装置Ｙ１は、前記摺動体５１のクラッチピン兼用の押圧部分３２に押されて所定量回転するように前記錠箱４Ａに固定軸３６を介して軸支され、かつ錠前の施・解錠状態を検出するための第１スイッチ片２３Ａと、前記回転体２０Ａの当り部分３２に押されて所定量回転するように前記固定軸３６を介して軸支され、かつ該回転体２０Ａの回転位置を検出するための第２スイッチ片２５Ａを含み、前記第１スイッチ片２３Ａの先端部３８は、前記摺動体５１が錠箱４Ａ内に配設された駆動バネ７０のバネ力によって回転するダルマ１３Ａを介して施錠位置へと移動した時に、前記錠箱４Ａ内の第１フォトセンサー２１に対にして遮蔽状態に接近或いは離れて該遮蔽状態を解消し、一方、前記第２スイッチ片２５Ａの先端部３８Ａは、前記回転体２０Ａが駆動モータ１０の駆動力に基づいて回転した時に、前記錠箱４Ａ内の第２フォトセンサー２６にして遮蔽状態に接近或いは離れて該遮蔽状態を解消する点」に特徴がある。
【００３７】
また、回転体２０Ａとしての歯車体は、検出装置Ｙ１の一部を構成する部材のみならず、駆動モータ１０の駆動力を摺動体５１に伝達するための動力伝達手段１１Ａの一部を構成している点も特徴事項である。以下、第２実施形態を詳細に説明するが、第１実施形態と同一構成には同一又は同様の符号を付して重複する説明を省略する。
【００３８】
図１０は施錠状態の概略説明図、一方、図１１は解錠状態の概略説明図であるが、これらの図面には、図１７で示す要部（例えば）を省略してある。この第２実施例形態の電気錠Ｘ１の構成は非常に複雑なので、判り易くするために、図１０及び図１１では、摺動体用のストッパレバー（ストッパー）６１等を省略した。
【００３９】
まず該電気錠Ｘ１は、錠箱４Ａ内に、制御部６からの施錠信号に基づいて電気的に起動する駆動モータ１０と、該駆動モータの駆動力によって回転する動力伝達手段（複数の歯車）１１Ａと、この動力伝達歯車の伝動力によって回転する摺動体５１を解除位置に保持するストッパレバー６１のロックを解くためのロック解除用回転体（従動小片）９１と、このロック解除用回転体と係合する前記ストッパレバー６１及び該ストッパレバーに係止される前記摺動体５１と、前記摺動体を構成するラック５１Ａと噛合するダルマ１３Ａと、前記錠箱側に一端部が取付けられ、一方、他端部がダルマ側に取付けられた動力源の付勢手段（駆動バネ）７０と、前記ダルマに押し出されるデッド１４Ａとをそれぞれ備え、施錠時、前記駆動モータ１０が起動すると、前記ロック解除用回転体９１が施錠方向に回転して前記ストッパレバー６１の摺動体５１に対する係止を解き、以後、前記ダルマ１３Ａは、前記付勢手段７０の付勢力により自動的に施錠方向へと回動して、前記デッド１４Ａは錠箱４Ａから完全突出する。
【００４０】
そして、前記ダルマ１３Ａには、該ダルマに連動するように不番の作動アームの上端部が枢支され、一方、該作動アームの下端部には、錠箱側に設けられた案内切欠部７５に直接又は間接的な案内される横杆状のデッド用ストッパー７６を取付け、該デッド用ストッパー７６は、デッド１４Ａが付勢手段７０の付勢力によって完全に突出した施錠時には、前記案内切欠部７５に案内されてデッド１４Ａの後端面をロックする。また、前記付勢手段７０は、不番の捩じりコイルバネと、該捩じりコイルバネの螺旋状中央部を横柱で支持する不番の可動バネガイドとから成る。
【００４１】
次に、図１２は電気錠Ｘ１の検出装置Ｙ１を示す図４と同様の概念図である。図４と図１２を比較すると明らかなように、該摺動体５１は、駆動バネ７０のバネ力によって回転するダルマ１３Ａを介して解錠位置から施錠位置へと移動した時に、第１スイッチ片２３Ａの先端部３８が第１フォトセンサー３５に対にして遮蔽状態に接近する（第１実施形態の場合と同様）。したがって、この実施形態では、摺動体５１が施錠位置から解錠位置へと戻った時には、前記遮蔽状態が解消する。
【００４２】
また、第１スイッチ片２３Ａと略同一のテコ式第２スイッチ片２５Ａは、第１実施形態と同様に回転体２０Ａの当り部分３２を介して所要量回転し、その先端部３８Ａが第２フォトセンサー２６に対にして遮蔽状態に接近する（この点も第１実施形態の場合と同様）。したがって、回転体２０Ａの当り部分３２がテコ式第２スイッチ片２５Ａの短片部分２５ｂから離れた場合には、前記遮蔽状態が解消する。
【００４３】
図１２では説明の便宜上、摺動体５１のラック５１Ａと回転体２０Ａを左右に分離して示してあるが、摺動体５１のラック５１Ａは回転体２０Ａに噛合し、かつ図示しない案内手段を介して施錠位置から解錠位置へ及び解錠位置から施錠位置へと往復動可能である。また図１６で示すように、回転体２０Ａと摺動体５１の背面に設けた係合部分と係合しており、回転体２０Ａが回転すると、解錠位置（図１１で示す位置）に戻ることができる。
【００４４】
次に、図１４は解錠状態から施錠状態になった場合の概略説明図、一方、図１５は施錠状態から解錠状態になった場合の概略説明図で、各スイッチ片２３Ａ、２５Ａの作動態様の一例を示す。この第２実施形態の検知装置Ｙ１も第１実施形態のそれと同じく、直線移動する摺動体５１を利用して電気錠の施・解錠状態を検知し、また同時或いは異時に回転  体２０Ａの回転位置の状態を検知する。
次に図１６は、摺動体と回転体の係合関係を示す説明図である。また図１７はストッパレバー６１と摺動体５１を構成するラック５１Ａとの係止状態等を示す概略説明図である。また図１９は、回転体２０Ａとストッパレバー６１と解除用従動小片９１と関係を示す概略説明図である。そして、図２０は駆動モータ１０の駆動力により作動する動力伝達手段１１Ａを介して回転体２０Ａが矢印Ａ方向へと回転し、やがて、その係止解除用小突起９３が解除用従動小片９１を矢印Ｂ方向へ押圧し、さらに前記係止解除用小突起９３を介してストッパレバー６１を矢印Ｃ方向へと押圧し（図１９参照）、摺動体用ストッパレバー６１の係止を解除する時の説明図である。
【００４５】
ここで、図２０を参照にして動力伝達手段１１Ａの構成を説明する。駆動モータ１０の出力軸には駆動歯車（傘歯車）８７が一体的に取付けられ、該駆動歯車８７と回転体（従動歯車）２０Ａの間には、減速機構を構成する動力伝達歯車が配設されている。動力伝達歯車は、例えば駆動歯車８７側に噛合する第１歯車８８と、回転体２０Ａ側に噛合する第２歯車８９とから成る。
【００４６】
また、図１８及び図１９を参照にして解除用従動小片９１の構成を説明する。従動小片９１は錠箱４Ａのフロント板４ａ付近に軸支されている。この従動小片９１は、回転体２０Ａの一側面（正面）の縁部に対向するように固定軸９２に軸支された第１係合爪９１ａと、回転体２０Ａの他側面（背面）の縁部に対向するように前記固定軸９２に軸支された第２係合片９１ｂとから成り、前記第１係合爪９１ａの係合端部は、ストッパレバー６１の受け部分６２に対して押圧状態に係合することができるように任意形状（例えば親指と人差し指の指先状）に形成され、一方、前記第２係合片９１ｂは、回転体２０Ａの他側面（背面）の縁部に突設された係止解除用小突起９３と係脱することができるように任意形状（例えば細長板片）に形成されている。
【００４７】
しかして、図１９で示すように回転体２０Ａの上側に位置する鉤状第１係合爪９１ａとその下側にバー状第２係合片９１ｂの各基端部は、共に固定軸９２を同軸にして一体的に軸支され、該固定軸９２を介して同方向へ一緒に回転する。付言すると、図２０で示すように、回転体２０Ａが矢印方向Ａへ回転すると、第２係合片９１ｂは、その自由端部が位置変位する係止解除用小突起９３に押圧され、矢印Ｂ方向へ回転するので、ストッパレバーの受け部分６２が矢印Ｃ方向へと持ち上げられ、その結果、ストッパレバー６１の第２係合腕６３の先端部が摺動体５１のスライダ板５１Ａの係合部（例えば第１案内突起部材）５２から外れる。
【００４８】
ところで、この第２実施形態では、回転体の一側面（正面）の縁部に設けられた当り部分３２は「クラッチピン」の機能を兼用しており、該当り部分（クラッチピン）３２は、摺動体に縦又は斜め方向にバー状に突設された被係合部５５に係脱可能である。なお、図１８に於いて、符号５３はスライダ板５１Ａに設けられた第２案内突起部材であり、その余のストッパレバー６１等の細部的事項の説明は割愛する。
上記のように構成しても、発明の所期の目的を達成することができる。
【実施例】
【００４９】
第２実施形態の摺動体５１は、望ましくは錠箱４Ａのフロント板４ａの内面と錠箱４Ａの後壁内面の間を、傾斜案内長孔を有するガイド板を介して傾方向に往復運動をする。このように構成すると、縦長の錠箱４Ａの内部空間を有効的に活用することができる。
【００５０】
またストッパレバー６１は、ストッパレバー用のバネ部材のバネ力によって摺動体５１を係止する方向へと回転するが、もちろん、バネ部材のバネ力に代えて、磁性体の反発力により摺動体５１を係止する方向へと回転するように構成することもできる。磁性体の極性に基づく反発力を利用する場合には、錠箱４Ａの適宜箇所とストッパレバー６１の適宜箇所にそれぞれ磁性体が設けられる。
【００５１】
さらに、第２実施形態の摺動体５１は、望ましくはストッパレバー６１の先端部と係脱するロック部材を有するスライダ板５１Ｂと、このスライダ板５１Ｂに係合部を介して共働するように組み合わせられ、かつダルマ１３Ａのセクターギアと噛合するラックを有するラック板５１Ａと、このラック板５１Ａのバネ受け部と前記スライダ板のバネ受け部との間に組み込まれたラック板用復帰バネとから成る。
【００５２】
加えて、特に図示しないが、ダルマ１０Ａの回動運動をデッド１４Ａの往復運動に変換する事項も、駆動リンク等に代えて、第１実施形態と同様に一本の駆動腕（半径外方向に延伸する作動カム）にすることもできる。
【産業上の利用可能性】
【００５３】
錠前や建具の分野で利用される。
【符号の説明】
【００５４】
Ｘ、Ｘ１…電気錠、Ｙ、Ｙ１…検出装置、１…戸枠、２…受け具、３…扉、４、４Ａ…錠箱、６…制御部、８…電気錠制御用プリント基板、９…開口、１０…駆動源としての駆動モータ、１１、１１Ａ…動力伝達手段、１３、１３Ａ…ダルマ、１４、１４Ａ…デッドボルト（デッド）、１８…デッドボルトの当り部分、２０、２０Ａ…回転体（歯車体）、２１…第１フォトセンサー、２１ａ、２６ａ…発光側の側壁部、２１ｂ、２６ｂ…受光側の側壁部、ａ…所定間隙、２３、２３Ａ…第１スイッチ片（テコ式揺動片）、２３ａ…長片部分、２３ｂ…短片部分、２３ｃ…中間部寄りの部位、２４…第１スイッチ片用復帰バネ、２５、２５Ａ…第２スイッチ片（揺動片）、２６…第２フォトセンサー、３１…歯車体の中心軸、３２…回転体の当り部分、３５…センサー基板、３６…固定軸（支軸）、３８、３８Ａ…遮蔽突片、３９、３９Ａ…バネ端支持部、４１、４１Ａ…固定支軸、４２、４２Ａ…支持ピン、５１…摺動体、５１Ａ…摺動部材のラック板、５１Ｂ…スライダ板、６１…摺動部材用ストッパレバー、７０…駆動源としての駆動バネ（付勢手段）、９１…従動小片。
【図１】
0005818468.tif 000002
【図２】
0005818468.tif 000003
【図３】
0005818468.tif 000004
【図４】
0005818468.tif 000005
【図５】
0005818468.tif 000006
【図６】
0005818468.tif 000007
【図７】
0005818468.tif 000008
【図８】
0005818468.tif 000009
【図９】
0005818468.tif 000010
【図１０】
0005818468.tif 000011
【図１１】
0005818468.tif 000012
【図１２】
0005818468.tif 000013
【図１３】
0005818468.tif 000014
【図１４】
0005818468.tif 000015
【図１５】
0005818468.tif 000016
【図１６】
0005818468.tif 000017
【図１７】
0005818468.tif 000018
【図１８】
0005818468.tif 000019
【図１９】
0005818468.tif 000020
【図２０】
0005818468.tif 000021